(57)【要約】【課題】強風でも吹き飛ばされることなく安定的に園芸植物を保護することができ、ワンタッチで使用可能な状態に展開することができるとともに、園芸植物の手入れを容易に行うことができる園芸用ハウスを提供する。【解決手段】園芸植物を保護するための園芸用ハウス１Ａであって、弾性変形自在な立体フレーム２と、立体フレーム２に張設される可撓性シート部材により箱形状に形成される箱体３とを備え、立体フレーム２は展開状態と折畳状態とに切替可能であり、箱体３は、園芸容器５が載置される園芸容器載置部２１と、園芸容器５を覆うように園芸容器載置部２１に一体的に設けられる園芸容器カバー部２２とを有し、園芸容器カバー部２２には、園芸容器５を出し入れ可能な開口部３０と、開口部３０を開閉自在に塞ぐ扉部３１とが設けられる。【選択図】図１
2020014431.tif 000002
【特許請求の範囲】
【請求項１】
園芸植物を保護するための園芸用ハウスであって、
弾性変形自在な無端線材により立体的形状に形成される立体フレームと、
前記立体フレームに張設される可撓性シート部材により箱形状に形成される箱体とを備え、
前記立体フレームは、底部の骨組を構成する底部フレーム部と、前記底部フレーム部の両側に一体的に連設されて両側部の骨組みを構成する一対の側部フレーム部とを有し、前記底部フレーム部の両側に前記側部フレーム部が起立される展開状態と、前記底部フレーム部上に前記側部フレーム部が重ね合わされる折畳状態とに切替可能であり、
前記箱体は、園芸植物を栽培するために用いる園芸容器が載置される園芸容器載置部と、前記園芸容器載置部に載置されている前記園芸容器を覆うように前記園芸容器載置部に一体的に設けられる園芸容器カバー部とを有し、
前記園芸容器カバー部には、前記園芸容器を出し入れ可能な開口部と、前記開口部を開閉自在に塞ぐ扉部とが設けられる園芸用ハウス。
【請求項２】
前記底部フレーム部は、左右方向に延び、且つ前後方向に所定間隔をあけて配される一対の底辺部を有し、
前記側部フレーム部は、上下方向に延びて前記一対の底辺部に連設される一対の側辺部と、前記側辺部の上端同士を繋ぐように前記側辺部に一体的に連設される頂部とを有し、
前記立体フレームは、前記展開状態から、前記一対の底辺部のうちの一方の底辺部に他方の底辺部を近づけ、さらに他方の底辺部が一方の底辺部を越えて移動されたときに、一方の底辺部と他方の底辺部とで第一環状部が形成されるとともに、前記一対の側辺部と前記頂部とによって前記一対の底辺部の一側に第二環状部が、他側に第三環状部が、それぞれ形成され、前記第一環状部の上に前記第二環状部を捻じ伏せ、捻じ伏せられた前記第二環状部の上に前記第三環状部を捻じ伏せることによって、前記折畳状態とされる請求項１に記載の園芸用ハウス。
【請求項３】
前記開口部は、前記一対の側部フレーム部及び前記底部フレーム部に沿って前記園芸容器カバー部をＵ字状に切り欠いたような形状であり、
前記扉部は、当該扉部の上辺縁が前記園芸容器カバー部に一体的に接続され、前記上辺縁回りに折り返すことで前記開口部を開くように構成される請求項１又は２に記載の園芸用ハウス。
【請求項４】
前記箱体の上部には、前記一対の側部フレーム部の間に架け渡されるようにビーム部材が組み込まれる請求項１〜３の何れか一項に記載の園芸用ハウス。
【請求項５】
前記ビーム部材は、複数の棒状部材と、前記棒状部材の端部同士に外嵌されるスリーブと、前記スリーブに対して前記棒状部材を所定の嵌め込み位置で止める位置決め手段と、前記棒状部材の端部同士を引き付ける引付手段とを備える請求項４に記載の園芸用ハウス。
【請求項６】
前記園芸容器カバー部は、光が透過可能な透明素材からなる請求項１〜５の何れか一項に記載の園芸用ハウス。
【請求項７】
前記園芸容器カバー部は、虫の侵入を防ぐ防虫網からなる請求項１〜５の何れか一項に記載の園芸用ハウス。
【発明の詳細な説明】
【技術分野】
【０００１】
本発明は、園芸植物を雨や雪、冷気、霜、夜露等から保護するための園芸用ハウスに関する。
【背景技術】
【０００２】
近年、主婦層を中心に趣味と実益を兼ねた家庭園芸が広がっており、プランターや鉢等の園芸容器を用いた野菜や花卉等の栽培がますます盛んになっている。ところが、専門知識あるいは専門技術を有しない者による家庭園芸では、成果を得られないことも多いのが現状であり、その主な原因としては、冬場における発芽、育苗時の問題が挙げられる。すなわち、昼夜の寒暖の差や霜の発生等により、発芽が妨げられたり、育苗が妨げられたりするという問題があった。
【０００３】
上記のような問題を解決し得るものとして、例えば特許文献１にて提案されている保護カバーがある。
【先行技術文献】
【特許文献】
【０００４】
【特許文献１】特開２００２−２１８８５１号公報
【０００５】
この特許文献１に係る保護カバーは、プランター本体の上部開口縁回りに設けられた所要の支柱ガイドに差し込まれる所要の支柱を適宜に組むことによって構築される骨組と、この骨組に張設されるビニールシートとにより構成されている。この保護カバーにより、温湿度変化を緩和することができるとともに、霜害を防ぐことができる。
【発明の概要】
【発明が解決しようとする課題】
【０００６】
しかしながら、上記の特許文献１に係る保護カバーは、プランター本体に設けられた支柱ガイドに支柱を差し込むことでプランター本体の上部に組み付けられる構成であるため、風の当たり具合によっては支柱が上方に引っ張られ、強風の場合、吹き飛ばされることがあるという問題点がある。また、使用の際には、プランター本体の支柱ガイドに支柱を差し込む作業が必要であるため、面倒であるという問題点がある。また、園芸植物に対して水やりや、肥料を与える等の手入れを行う際には、プランター本体から保護カバーを取り外さなくてはならず、当然、手入れ後は、再度、保護カバーをプランター本体に取り付けなくてはならず、園芸植物の手入れを容易に行うことができないという問題点がある。
【０００７】
本発明は、上記の課題に鑑みてなされたものであり、強風でも吹き飛ばされることなく安定的に園芸植物を保護することができ、ワンタッチで使用可能な状態に展開することができるとともに、園芸植物の手入れを容易に行うことができる園芸用ハウスを提供することを目的とする。
【課題を解決するための手段】
【０００８】
上記課題を解決するための本発明に係る園芸用ハウスの特徴構成は、
園芸植物を保護するための園芸用ハウスであって、
弾性変形自在な無端線材により立体的形状に形成される立体フレームと、
前記立体フレームに張設される可撓性シート部材により箱形状に形成される箱体とを備え、
前記立体フレームは、底部の骨組を構成する底部フレーム部と、前記底部フレーム部の両側に一体的に連設されて両側部の骨組みを構成する一対の側部フレーム部とを有し、前記底部フレーム部の両側に前記側部フレーム部が起立される展開状態と、前記底部フレーム部上に前記側部フレーム部が重ね合わされる折畳状態とに切替可能であり、
前記箱体は、園芸植物を栽培するために用いる園芸容器が載置される園芸容器載置部と、前記園芸容器載置部に載置されている前記園芸容器を覆うように前記園芸容器載置部に一体的に設けられる園芸容器カバー部とを有し、
前記園芸容器カバー部には、前記園芸容器を出し入れ可能な開口部と、前記開口部を開閉自在に塞ぐ扉部とが設けられることにある。
【０００９】
本構成の園芸用ハウスによれば、園芸容器が載置される園芸容器載置部に園芸容器カバー部が一体的に設けられているので、園芸容器カバー部に当たる風が強風であっても園芸容器の重みや、園芸容器内の培養土の重み、園芸植物の重み等によって吹き飛ばされることがなく、安定的に園芸植物を保護することができる。また、立体フレームの弾性反発によって立体フレームが折畳状態から展開状態に瞬時に切り替えられるので、ワンタッチで使用可能な状態に展開することができる。また、園芸植物に対して水やりや、肥料を与える等の手入れを行う際には、園芸容器カバー部に設けられている扉部を開けるだけでよく、手入れ後は、扉部を閉めるだけでよいので、園芸植物の手入れを容易に行うことができる。
【００１０】
本発明に係る園芸用ハウスにおいて、
前記底部フレーム部は、左右方向に延び、且つ前後方向に所定間隔をあけて配される一対の底辺部を有し、
前記側部フレーム部は、上下方向に延びて前記一対の底辺部に連設される一対の側辺部と、前記側辺部の上端同士を繋ぐように前記側辺部に一体的に連設される頂部とを有し、
前記立体フレームは、前記展開状態から、前記一対の底辺部のうちの一方の底辺部に他方の底辺部を近づけ、さらに他方の底辺部が一方の底辺部を越えて移動されたときに、一方の底辺部と他方の底辺部とで第一環状部が形成されるとともに、前記一対の側辺部と前記頂部とによって前記一対の底辺部の一側に第二環状部が、他側に第三環状部が、それぞれ形成され、前記第一環状部の上に前記第二環状部を捻じ伏せ、捻じ伏せられた前記第二環状部の上に前記第三環状部を捻じ伏せることによって、前記折畳状態とされることが好ましい。
【００１１】
本構成の園芸用ハウスによれば、立体フレームに対する所定の操作によって第一環状部の上に第二環状部が捻じ伏せられ、捻じ伏せられた第二環状部の上に第三環状部が捻じ伏せられて立体フレームが折畳状態とされるので、コンパクトに折り畳むことができる。
【００１２】
本発明に係る園芸用ハウスにおいて、
前記開口部は、前記一対の側部フレーム部及び前記底部フレーム部に沿って前記園芸容器カバー部をＵ字状に切り欠いたような形状であり、
前記扉部は、当該扉部の上辺縁が前記園芸容器カバー部に一体的に接続され、前記上辺縁回りに折り返すことで前記開口部を開くように構成されることが好ましい。
【００１３】
本構成の園芸用ハウスによれば、開口部の開口面積を広く確保することができるとともに、扉部を上辺縁回りに折り返して園芸容器カバー部上に載せて置くことで開口部が開かれたままの状態とされるので、開口部を通して園芸容器を出し入れする作業や、園芸植物に対して水やりや、肥料を与える等の手入れ作業をより容易に行うことができる。
【００１４】
本発明に係る園芸用ハウスにおいて、
前記箱体の上部には、前記一対の側部フレーム部の間に架け渡されるようにビーム部材が組み込まれることが好ましい。
【００１５】
本構成の園芸用ハウスによれば、箱体の上部の形状がビーム部材によって確実に保たれるので、箱体の上部が下方に向かって湾曲するように垂れ下がって園芸植物に干渉するような不具合の発生を確実に防ぐことができる。
【００１６】
本発明に係る園芸用ハウスにおいて、
前記ビーム部材は、複数の棒状部材と、前記棒状部材の端部同士に外嵌されるスリーブと、前記スリーブに対して前記棒状部材を所定の嵌め込み位置で止める位置決め手段と、前記棒状部材の端部同士を引き付ける引付手段とを備えることが好ましい。
【００１７】
本構成の園芸用ハウスによれば、複数の棒状部材の端部同士がスリーブによって連結され、スリーブに対して棒状部材が位置決め手段によって所定の嵌め込み位置で止められた状態で、複数の棒状部材の端部同士が引付手段によって引き付けられるので、複数の棒状部材がスリーブを介して長手方向に連なった状態が保持されてビーム部材として機能することになる。また、複数の棒状部材が長手方向に連なった状態において、スリーブを介して連結される一方の棒状部材を他方の棒状部材に対して引付手段の引付力に抗してスリーブから引き抜き、一方の棒状部材と他方の棒状部材とを平行に並べるように折り曲げれば、コンパクトに折り畳むことができて、持ち運びに便利な形態とすることができる。
【００１８】
本発明に係る園芸用ハウスにおいて、
前記園芸容器カバー部は、光が透過可能な透明素材からなることが好ましい。
【００１９】
本構成の園芸用ハウスによれば、園芸植物の光合成を妨げることなく、園芸植物を雨や雪、冷気、霜、夜露等から保護することができる。
【００２０】
本発明に係る園芸用ハウスにおいて、
前記園芸容器カバー部は、虫の侵入を防ぐ防虫網からなることが好ましい。
【００２１】
本構成の園芸用ハウスによれば、通気性を確保しつつ、植物を食べて加害する害虫や、植物の汁を吸って加害する害虫、カビ、細菌、ウイルス等を媒介する害虫のハウス内への侵入を確実に防ぐことができる。
【図面の簡単な説明】
【００２２】
【図１】図１は、本発明の第一実施形態に係る園芸用ハウスの全体斜視図で、（ａ）は展開状態図、（ｂ）は折畳状態図である。
【図２】図２は、第一実施形態に係る園芸用ハウスの全体骨組を構成する立体フレームの全体斜視図である。
【図３】図３は、第一実施形態に係る園芸用ハウスの上部を補強するビーム部材を示し、（ａ）は全体斜視図、（ｂ）は一方の棒状部材を他方の棒状部材に対してスリーブから引き抜いた状態図、（ｃ）は一方の棒状部材と他方の棒状部材とを平行に並べるように折り曲げた状態図である。
【図４】図４は、第一実施形態に係る園芸用ハウスの立体フレームの折畳動作説明図である。
【図５】図５は、第一実施形態に係る園芸用ハウスの使用状態を示す図で、（ａ）は扉部が閉じた状態図、（ｂ）は扉部が開いた状態図である。
【図６】図６は、本発明の第二実施形態に係る園芸用ハウスの使用状態を示す図で、（ａ）は扉部が閉じた状態図、（ｂ）は扉部が開いた状態図である。
【発明を実施するための形態】
【００２３】
以下、本発明について、図面を参照しながら説明する。ただし、本発明は、以下に説明する実施形態や図面に記載される構成に限定されることは意図しない。
【００２４】
〔第一実施形態〕
図１には、本発明の第一実施形態に係る園芸用ハウスの全体斜視図で、展開状態図（ａ）及び折畳状態図（ｂ）がそれぞれ示されている。
【００２５】
＜全体構成＞
図１（ａ）に示される園芸用ハウス１Ａは、立体フレーム２と、立体フレーム２に張設される可撓性シート部材により箱形状に形成される箱体３とを備えて構成され、園芸植物を雨や雪、冷気、霜、夜露等から保護するために用いられる。この園芸用ハウス１Ａは、立体フレーム２に対する後述する所定の折畳操作により、図１（ｂ）に示されるように、扁平な状態に折り畳むことができる。なお、図１（ｂ）において符号４にて示されるのは、園芸用ハウス１Ａを折畳状態に保持するために園芸用ハウス１Ａに掛け回れる紐体である。
【００２６】
＜立体フレーム＞
図２に示されるように、立体フレーム２は、弾性変形自在な無端線材により立体的形状に形成されており、底部フレーム部１１と、一対の側部フレーム部１２とを有している。ここで、無端線材としては、例えば、ピアノ線、スチールワイヤ等の各種のワイヤを採用することができる。その他、弾性変形自在であれば、ポリエチレンや繊維強化プラスチック（ＦＲＰ）等の各種の合成樹脂からなる線状体であってもよい。
【００２７】
［底部フレーム部］
底部フレーム部１１は、左右方向に延び、且つ前後方向に所定間隔をあけて平行に配設される一対の底辺部１３，１４を備え、各底辺部１３，１４の両端に、外向きに凸状で立ち上がる円弧状角部１５，１６が一体的に連設されてなるものである。
【００２８】
［側部フレーム部］
側部フレーム部１２は、上下方向に延び、且つ円弧状角部１５，１６を介して一対の底辺部１３，１４に連設される一対の側辺部１７，１８を備え、これら側辺部１７，１８の上端同士を繋ぐように上向きに凸状の円弧状頂部１９がそれら側辺部１７，１８に一体的に連設されてなるものである。
【００２９】
＜箱体＞
図１（ａ）に示されるように、箱体３は、園芸植物を栽培するために用いる園芸容器５（図５（ｂ）参照）が載置される園芸容器載置部２１と、園芸容器載置部２１に載置されている園芸容器５を覆うように園芸容器載置部２１に一体的に設けられる園芸容器カバー部２２とを有している。
【００３０】
［園芸容器載置部］
園芸容器載置部２１は、横方向に長い平面視長方形状の底面を有し、略トレー形状に形成されている。この園芸容器載置部２１は、主として布地によって構成され、布地としては、例えば、防水性や撥水性を有した各種の織布、不織布、合成樹脂シート等を採用することができる。
【００３１】
［園芸容器カバー部］
園芸容器カバー部２２は、園芸容器載置部２１と対向する天面部２５と、天面部２５の四辺に一体的に連設される前面部２６、後面部２７、左側面部２８及び右側面部２９とを有し、光が透過可能な透明素材、例えばビニールシートによって構成されている。こうして、園芸植物の光合成を妨げることなく、園芸植物を雨や雪、冷気、霜、夜露等から保護することができる。
【００３２】
［開口部、扉部］
図５（ａ）及び（ｂ）に示されるように、前面部２６には、図２に示される底辺部１３、左右の円弧状角部１５、及び左右の側辺部１７に沿って当該前面部２６をＵ字状に切り欠いたような形状で園芸容器５を出し入れ可能な開口部３０が形成されるとともに、この開口部３０を開閉自在に塞ぐ扉部３１が配設されている。ここで、扉部３１は、当該扉部３１の上辺縁が天面部２５の前辺部に一体的に接続されており、当該扉部３１の上辺縁回りに折り返すことで開口部３０を開くように構成されている。こうして、開口部３０の開口面積を広く確保することができるとともに、扉部３１を上辺縁回りに折り返して天面部２５上に載せて置くことで開口部３０が開かれたままの状態とされるので、開口部３０を通して園芸容器５を出し入れする作業や、園芸植物に対して水やりや、肥料を与える等の手入れ作業をより容易に行うことができる。
【００３３】
図１（ａ）に示されるように、開口部３０（図５（ｂ）参照）と扉部３１との間には、咬合及び咬合解除可能な線状ファスナ３５が取り付けられ、線状ファスナ３５には、当該線状ファスナ３５の咬合及び咬合解除を操作するための第一スライダ３６及び第二スライダ３７がそれぞれ装着されている。
【００３４】
第一スライダ３６を線状ファスナ３５の一端（図１（ａ）において右端）から他端（図１（ａ）において左端）へと向かう方向に移動させると、線状ファスナ３５が咬合され、これとは逆に他端から一端へと向かう方向に移動させると、線状ファスナ３５の咬合が解除される。一方、第二スライダ３７を線状ファスナ３５の他端から一端へと向かう方向に移動させると、線状ファスナ３５が咬合され、これとは逆に一端から他端へと向かう方向に移動させると、線状ファスナ３５の咬合が解除される。
【００３５】
図１（ａ）に示されるように、第一スライダ３６及び第二スライダ３７が線状ファスナ３５の中間に位置している状態では、線状ファスナ３５が全域に亘って咬合されて、開口部３０（図５（ｂ）参照）に対し扉部３１が完全に閉まった状態に保持されている。この状態から、第一スライダ３６を線状ファスナ３５の一端に向けて移動させるとともに、第二スライダ３７を線状ファスナ３５の他端に向けて移動させると、線状ファスナ３５の咬合が第一スライダ３６及び第二スライダ３７のそれぞれの移動に伴って解除され、図５（ｂ）に示されるように、開口部３０に対し扉部３１を第一スライダ３６及び第二スライダ３７の移動量に応じて開くことができる。第一スライダ３６を線状ファスナ３５の一端に位置させるとともに、第二スライダ３７を線状ファスナ３５の他端に位置させれば、開口部３０に対し扉部３１を完全に開くことができる。
【００３６】
＜ビーム部材＞
図１（ａ）に示されるように、箱体３の上部には、一対の側部フレーム部１２（図２参照）の間に架け渡されるようにビーム部材４１が組み込まれている。より具体的に説明すると、天面部２５には、左右方向に延び、前後方向に所定間隔をあけて平行に配される一対の鞘状収容部４２が形成され、各鞘状収容部４２内にビーム部材４１が差し込まれている。こうして、箱体３の上部の形状がビーム部材４１によって確実に保たれるので、箱体３の上部が下方に向かって湾曲するように垂れ下がって園芸植物に干渉するような不具合の発生を確実に防ぐことができる。
【００３７】
図３（ａ）に示されるように、ビーム部材４１は、二本の棒状部材４３，４４を備え、これら棒状部材４３，４４の端部同士を突き合せた状態で、当該突き合せ端部同士をスリーブ４５で外嵌して連結するとともに、スリーブ４５で外嵌される端部とは反対側の端部にエンドキャプ４６を装着することによって構成されている。
【００３８】
図３（ａ）の部分拡大断面図に示されるように、スリーブ４５の長手方向中間部には、外周面側に形成される凹部形成面と内周面側に形成される凸部形成面とを表裏一体で併せ持つ位置決め用窪み部４７が形成されている。棒状部材４３，４４をスリーブ４５の中間位置近傍にまで差し込むと、棒状部材４３，４４の先端が位置決め用窪み部４７の凸部形成面に突き当たって、それ以上差し込むことができず、その突き当たった嵌め込み位置で止まるようになっている。位置決め用窪み部４７は、スリーブ４５に対して棒状部材４３，４４を所定の嵌め込み位置で止める位置決め手段として機能する。
【００３９】
二本の棒状部材４３，４４の各々には、一端から他端に亘って中空部が形成されており、二本の棒状部材４３，４４の中空部の略全域に亘ってゴム紐４８が組み込まれ、ゴム紐４８の一端部が一方の棒状部材４３の適所に固着され、ゴム紐４８の他端部が他方の棒状部材４４の適所に固着され、二本の棒状部材４３，４４がゴム紐４８によって繋がれて、ゴム紐４８の収縮力によって二本の棒状部材４３，４４の端部同士が引き付けられて突き合わされるようになっている。ゴム紐４８は、二本の棒状部材４３，４４の端部同士を引き付ける引付手段として機能する。
【００４０】
ビーム部材４１においては、二本の棒状部材４３，４４の端部同士がスリーブ４５によって連結され、スリーブ４５に対して棒状部材４３，４４が位置決め用窪み部４７によって所定の嵌め込み位置で止められた状態で二本の棒状部材４３，４４の端部同士がゴム紐４８によって引き付けられることによって、二本の棒状部材４３，４４がスリーブ４５を介して長手方向に連なった状態が保持される。
【００４１】
＜園芸用ハウスの使用方法＞
以上に述べたように構成される園芸用ハウス１Ａを使用する際には、図１（ｂ）に示される折畳状態から図１（ａ）に示される展開状態にする必要がある。図１（ｂ）に示される折畳状態の園芸用ハウス１Ａは、紐体４によって折畳状態に保持されている。紐体４を取り外し、折畳状態の園芸ハウス１Ａを引き伸ばすように軽く力を作用させるだけで、その後は立体フレーム２の弾性反発によって立体フレーム２が図４（ｄ）に示される折畳状態から図４（ａ）に示される展開状態に瞬時に切り替えられ、これに伴い、園芸ハウス１Ａが図１（ｂ）に示される折畳状態から図１（ａ）に示される展開状態へとワンタッチで使用可能な状態に展開される。
【００４２】
図１（ａ）に示される展開状態の園芸用ハウス１Ａにおいて、第一スライダ３６及び第二スライダ３７が線状ファスナ３５の中間に位置している状態では、線状ファスナ３５が全域に亘って咬合されて、開口部３０（図５（ｂ）参照）に対し扉部３１が完全に閉まった状態に保持されている。この状態から、第一スライダ３６を線状ファスナ３５の一端に向けて移動させるとともに、第二スライダ３７を線状ファスナ３５の他端に向けて移動させ、第一スライダ３６を線状ファスナ３５の一端側に位置させるとともに、第二スライダ３７を線状ファスナ３５の他端側に位置させて、図５（ｂ）に示されるように、扉部３１を当該扉部３１の上辺縁回りに折り返して、天面部２５上に載せて置く。このようにして、扉部３１を開いた状態にして、培養土及び園芸植物を収容した園芸容器５を、開口部３０を通して園芸用ハウス１Ａ内に入れ、園芸容器載置部２１に載置する。そして、図５（ａ）に示されるように、第一スライダ３６及び第二スライダ３７を線状ファスナ３５の中間に位置するように移動させ、開口部３０（図５（ｂ）参照）に対し扉部３１が完全に閉まった状態に保持する。この図５（ａ）に示される状態においては、園芸容器カバー部２２に当たる風が強風であっても園芸容器５の重みや、園芸容器５内の培養土の重み、園芸植物の重み等によって吹き飛ばされることがなく、安定的に園芸植物を保護することができる。
【００４３】
図５（ａ）に示される状態から、第一スライダ３６を線状ファスナ３５の一端に向けて移動させるとともに、第二スライダ３７を線状ファスナ３５の他端に向けて移動させ、図５（ｂ）に示されるように、開口部３０に対し扉部３１を第一スライダ３６及び第二スライダ３７の移動量に応じて開き、当該扉部３１の上辺縁回りに折り返して、天面部２５上に載せて置く。このようにして、扉部３１を開いた状態にして、園芸植物に対する水やりや、肥料を与える等の手入れを行う。手入れが終われば、開口部３０を扉部３１で塞ぎ、第一スライダ３６及び第二スライダ３７を線状ファスナ３５の中間に位置させるように移動させて、開口部３０を扉部３１で閉じた状態を保持する。こうして、園芸植物の手入れを容易に行うことができる。
【００４４】
＜園芸用ハウスの折畳方法＞
図１（ａ）に示される園芸ハウス１Ａは、図４（ａ）〜（ｄ）に示される立体フレーム２の折畳動作によって、箱体３が立体フレーム２に追従するように折り畳まれ、図１（ｂ）に示されるように、園芸ハウス１Ａの全体が扁平な状態に折り畳まれ、持ち運び易く、収納スペースを抑えることができる形態となる。また、ビーム部材４１は、図３（ａ）〜（ｃ）に示される折畳動作によって、持ち運び易く、収納スペースを抑えることができる形態となる。
【００４５】
［立体フレームの折畳動作説明］
立体フレーム２の折畳動作は、以下の通りである。まず、図４（ａ）〜（ｂ）に示されるように、展開状態から、一対の底辺部１３，１４うちの一方の底辺部１３に他方の底辺部１４を近づけ、さらに他方の底辺部１４を一方の底辺部１３を越えて移動させる。このとき、図４（ｂ）に示されるように、一方の底辺部１３と他方の底辺部１４とによって第一環状部５１が形成されるとともに、一対の側辺部１７，１８と円弧状頂部１９とによって一対の底辺部１３，１４の一側に第二環状部５２が、他側に第三環状部５３が、それぞれ形成される。次いで、図４（ｂ）〜（ｃ）に示されるように、第一環状部５１の上に第二環状部５２を捻じ伏せ、捻じ伏せられた第二環状部５２の上に第三環状部５３を捻じ伏せる。これにより、図４（ｄ）に示されるように、立体フレーム２が扁平な環状の折畳状態に切り替わり、コンパクトに折り畳むことができる。
【００４６】
［ビーム部材の折畳動作説明］
図３（ａ）に示されるように、二本の棒状部材４３，４４が長手方向に連なった状態において、図３（ｂ）に示されるように、スリーブ４５を介して連結される一方の棒状部材４３を他方の棒状部材４４に対しゴム紐４８の引付力に抗してスリーブ４５から引き抜き、図３（ｃ）に示されるように、一方の棒状部材４３と他方の棒状部材４４とを平行に並べるように折り曲げれば、コンパクトに折り畳むことができ、持ち運びに便利な形態とすることができる。
【００４７】
〔第二実施形態〕
図６には、本発明の第二実施形態に係る園芸用ハウスの全体斜視図で、展開状態図（ａ）及び折畳状態図（ｂ）がそれぞれ示されている。なお、この第二実施形態において、先に述べた第一実施形態と同一又は同様のものについては図に同一符号を付すに留めてその詳細な説明を省略することとし、以下においては、第二実施形態に特有の部分を中心に説明することとする。
【００４８】
図６（ａ）及び（ｂ）に示される園芸用ハウス１Ｂにおいては、園芸容器カバー部２２が、虫の侵入を防ぐ防虫網から構成されている。それ以外については、第一実施形態の園芸用ハウス１Ａと同じ構成である。園芸容器カバー部２２を防虫網で構成することにより、通気性を確保しつつ、植物を食べて加害する害虫や、植物の汁を吸って加害する害虫、カビ、細菌、ウイルス等を媒介する害虫のハウス内への侵入を確実に防ぐことができる。
【００４９】
防虫網としては、例えば、ポリエステル、ポリエチレン、ポリプロピレン、ポリ塩化ビニル等の熱可塑性樹脂を素材としたフィラメント糸を、経糸及び緯糸に使用して網目が１５〜３０メッシュ程度の平織又は絡み織により織って得られるネット状織物等が挙げられる。
【産業上の利用可能性】
【００５０】
本発明の園芸用ハウスは、強風でも吹き飛ばされることなく安定的に園芸植物を保護することができ、ワンタッチで使用可能な状態に展開することができるとともに、園芸植物の手入れを容易に行うことができるという特性を有していることから、園芸植物を雨や雪、冷気、霜、夜露等から保護する用途において利用可能である。
【符号の説明】
【００５１】
１Ａ，１Ｂ  園芸用ハウス
２          立体フレーム
３          箱体
５          園芸容器
１１        底部フレーム部
１２        側部フレーム部
１３，１４  底辺部
１７，１８  側辺部
１９        円弧状頂部
２１        園芸容器載置部
２２        園芸容器カバー部
３０        開口部
３１        扉部
４１        ビーム部材
４３，４４  棒状部材
４５        スリーブ
４７        位置決め用窪み部（位置決め手段）
４８        ゴム紐（引付手段）
５１        第一環状部
５２        第二環状部
５３        第三環状部
【図１】
2020014431.tif 000003
【図２】
2020014431.tif 000004
【図３】
2020014431.tif 000005
【図４】
2020014431.tif 000006
【図５】
2020014431.tif 000007
【図６】
2020014431.tif 000008